【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
発光吸音パネルであって、当該発光吸音パネルは：
光学的に透明である第１パネルシートと；
第２パネルシートと；
第１パネルシート及び第２パネルシートの間に挟まれた第１のセル状支持パネルと；を備えており、
第１パネルシート及び第２パネルシートのうちの少なくとも一方が、複数の貫通孔を含んでおり、
第１のセル状支持パネルは、第１パネルシートから第２パネルシートに向けて延びる複数の管状チャネルを規定するような光学的に透明なセル状壁を含んでおり、該セル状壁は、第１及び第２パネルシートに対して実質的に垂直であり、
前記発光パネルは、第１の複数の光源を含む第１の二次元光源アレイをさらに備えており、各光源が、前記第１のセル状支持パネルの管状チャネルのうちの少なくとも１つに光を放射するように配置されている、
発光吸音パネル。
【請求項２】
第１のセル状支持パネルの第１面に取り付けられた第１の二次元光源アレイは、オープングリッドの発光ダイオード（ＬＥＤ）であり、該ＬＥＤは、第１のセル状支持パネルの前記管状チャネル内に光を放射するように配置されており、それによって、光が第１のセル状支持パネルの第１面から第２面に伝搬する、
請求項１に記載の発光吸音パネル。
【請求項３】
第１の二次元光源アレイは：
ノードを含むグリッドを規定する複数の金属線を備えており、
第１の複数の固体光源の各固体光源が、前記ノードのそれぞれに配置されており、且つ前記複数の金属線のうちの２つの隣接する金属線に電気的及び機械的に接続されている、
請求項１又は２に記載の発光吸音パネル。
【請求項４】
第２パネルシートは、光学的に透明である、
請求項１乃至３のいずれか一項に記載の発光吸音パネル。
【請求項５】
第１の複数の光源は、第１パネルシートに向けて光を放射するように配置された第１セットの光源と、第２パネルシートに向けて光を放射するように配置された第２セットの光源とを含む、
請求項１乃至４のいずれか一項に記載の発光吸音パネル。
【請求項６】
第１の二次元光源アレイは、前記管状チャネルを通じて第１パネルシートに向けて光を放射するように配置されており、前記発光パネルは、前記管状チャネルを通じて第２パネルシートに向けて光を放射するように配置された第２の複数の光源を含む第２の二次元光源アレイをさらに備える、
請求項１乃至５のいずれか一項に記載の発光吸音パネル。
【請求項７】
第１の二次元光源アレイが、第１パネルシートと第２パネルシートとの間に挟まれている、
請求項１乃至６のいずれか一項に記載の発光吸音パネル。
【請求項８】
第２パネルシートは、光学的に透明な第１層と第２層とを含んでおり、
第１の二次元光源アレイは、前記光学的に透明な第１層と第２層との間に挟まれている、
請求項１乃至７のいずれか一項に記載の発光吸音パネル。
【請求項９】
前記発光パネルは、光学的に透明なセル状壁を含む第２のセル状支持パネルをさらに備えており、
第１の二次元光源アレイは、第１のセル状支持パネルと第２のセル状支持パネルとの間に配置されている、
請求項１乃至８のいずれか一項に記載の発光吸音パネル。
【請求項１０】
第１の複数の光源の各々は、前記管状チャネルのうちの対応する１つの壁に向けて傾斜された光軸に沿って光を放射するように構成されている、
請求項１乃至９のいずれか一項に記載の発光吸音パネル。
【請求項１１】
前記光学的に透明なセル状壁は、第１パネルシートに対して平行な前記セル状支持パネルの断面において湾曲している、
請求項１乃至１０のいずれか一項に記載の発光吸音パネル。
【請求項１２】
第１の二次元光源アレイは、非周期的なアレイである、
請求項１乃至１１のいずれか一項に記載の発光吸音パネル。
【請求項１３】
第１パネルシート及び第２パネルシートのうちの少なくとも一方が、波長変換材料を含む、
請求項１乃至１２のいずれか一項に記載の発光吸音パネル。
【請求項１４】
第１パネルシート及び第２パネルシートのうちの少なくとも一方が、光源によって出力された光を整形するために微細構造化されている、
請求項１乃至１３のいずれか一項に記載の発光吸音パネル。
【手続補正２】
【補正対象書類名】明細書
【補正対象項目名】発明の名称
【補正方法】変更
【補正の内容】
【発明の名称】透明なセル状支持パネルを含む発光パネル
【手続補正３】
【補正対象書類名】明細書
【補正対象項目名】０００７
【補正方法】変更
【補正の内容】
【０００７】
本発明の第１の態様によれば、発光パネルが提供されており、当該発光パネルは、光学的に透明である第１パネルシートと、第２パネルシートと、第１パネルシート及び第２パネルシートの間に挟まれたセル状支持パネルとを備えており、このセル状支持パネルは、第１パネルシートから第２パネルシートに向けて延びる複数の管状チャネルを規定するような光学的に透明なセル状壁を含んでおり、発光パネルは、複数の光源を含む二次元光源アレイをさらに備えており、各光源が、セル状支持パネルの管状チャネルのうちの少なくとも１つに光を放射するように配置されている。
【手続補正４】
【補正対象書類名】明細書
【補正対象項目名】００１０
【補正方法】変更
【補正の内容】
【００１０】
また、セル状支持パネルは、実質的に平面構造であってもよく、二次元光源アレイは、セル状支持構造に実質的に平行な平面を規定することができる。さらに、二次元光源は、発光パネルの発光領域に実質的に対応するような二次元領域に亘って延びてもよい。
【手続補正５】
【補正対象書類名】明細書
【補正対象項目名】００１１
【補正方法】変更
【補正の内容】
【００１１】
本発明は、有利な発光特性及び機械的特性を有するコスト効率の良い発光パネルが、透明なカバー層同士の間に挟まれたセル状支持パネルによって形成されたパネルに二次元光源アレイを追加することによって実現することができるという認識に基づいている。
なお、光源アレイは、必ずしも規則的なアレイである必要はないが、有利に不規則なアレイであってもよいことに留意されたい。
【手続補正６】
【補正対象書類名】明細書
【補正対象項目名】００１２
【補正方法】変更
【補正の内容】
【００１２】
セル状支持パネル及びカバー層は、軽量で構造的に強固なパネルを提供する一方、二次元光源アレイは、発光機能をパネルに付加する。セル状支持パネルの光学的に透明なセル状壁によって規定される管状チャネルは、光源によって管状チャネル内に放射された光と相互作用して、グレアの発生を低減するとともに、従来技術の解決策に比べて光のより均一な出力を提供する。
【手続補正７】
【補正対象書類名】明細書
【補正対象項目名】００１５
【補正方法】変更
【補正の内容】
【００１５】
本発明の様々な実施形態によれば、二次元光源アレイは、セル状支持パネルの第１面に取り付けられたオープングリッドのＬＥＤであってもよく、これらＬＥＤは、セル状支持パネルの管状チャネル内に光を放射するように配置されており、それによって、ＬＥＤによって放射された光が、セル状支持パネルの第１面からこの第１面の反対側の第２面に伝搬する。
【手続補正８】
【補正対象書類名】明細書
【補正対象項目名】００２２
【補正方法】変更
【補正の内容】
【００２２】
様々な実施形態によれば、さらに、発光パネルは、光学的に透明なセル状壁を含む第１のセル状支持パネルと、光学的に透明なセル状壁を含む第２のセル状支持パネルとを備えることができ、二次元光源アレイを、第１のセル状支持パネルと第２のセル状支持パネルとの間に配置することができる。これらの実施形態では、二次元光源アレイは、十分に保護されており、そのスイッチがオフにされた状態で二次元光源アレイの視認性を低減させることができる。これらの実施形態は、二次元光源アレイが、第１パネルシートに向けて光を放射するように配置された第１セットの光源と、第２パネルシートに向けて光を放射するように配置された第２セットの光源とを備えるような実施形態と有利に組み合わせることができる。
【手続補正９】
【補正対象書類名】明細書
【補正対象項目名】００２４
【補正方法】変更
【補正の内容】
【００２４】
様々な実施形態によれば、セル状支持パネルの光学的に透明なセル状壁は、有利には、第１パネルシートに対して平行なセル状支持パネルの断面において湾曲してもよい。換言すれば、光学的に透明なセル状壁によって規定される管状チャネルは、非矩形の断面を有してもよい。例示的な一実施形態によれば、管状チャネルは、略円形断面を有してもよい。湾曲したセル状壁を使用することにより、グレアを、直線的なセル状壁を有する場合に比べて低減することができる。光学的に透明なセル状壁は、第１パネルシートに対して垂直な断面において湾曲してもよい。これによって、光源のスクリーニングをさらに改善することが期待され、従って、グレアが低減される。
【手続補正１０】
【補正対象書類名】明細書
【補正対象項目名】００３１
【補正方法】変更
【補正の内容】
【００３１】
図１の発光パネル１の実施形態の一部の概略分解図である図２を参照して、発光パネル１は、セル状支持構造体１０と、光学的に透明な第１パネルシート１１と、光学的に透明な第２パネルシート１２とを備える。セル状支持構造体１０は、第１パネルシート１１と第２パネルシート１２との間に挟まれており、且つ第１パネルシート１１から第２パネルシート１２に向けて延びる複数の管状チャネル１４、この場合には略円筒形状である、を規定するような光学的に透明なセル状(cell)壁１３を備える。
【手続補正１１】
【補正対象書類名】明細書
【補正対象項目名】００３５
【補正方法】変更
【補正の内容】
【００３５】
図３を参照して、第１パネルシート１１及び第２パネルシート１２の各々は、第１のＬＥＤグリッド１５及び第２のＬＥＤグリッド１６がそれぞれ間に積層された層のペアを含む。第１パネルシート１１は、光学的に透明な第１層２１と、光学的に透明な第２層２２と、光学的に透明な第１層２１及び光学的に透明な第２層２２の間に挟まれた第１のＬＥＤグリッド１５とを備える（第２パネルシートも同様に構成される）。光学的に透明な第１層２１及び第２層２２が一緒に積層されて、第１のＬＥＤグリッド１５が封入されるように複合パネルシートが形成される。第１のＬＥＤグリッド１５のＬＥＤ１８ａ〜１８ｃは、セル状支持パネル１０の管状チャネル１４内に光を放射するように配置されている、すなわち、図３の右側に向けて光を放射する。第２のＬＥＤグリッド１６のＬＥＤも、セル状支持パネル１０の管状チャネル内に光を放射するように配置されている、すなわち、図３の左側に向けて光を放射する。
【手続補正１２】
【補正対象書類名】明細書
【補正対象項目名】００３６
【補正方法】変更
【補正の内容】
【００３６】
図１の発光パネル１のさらにいくつかの例示的な実施形態を、図４ａ〜４ｄを参照しながら説明する。説明は、図２，３の実施形態と、図４ａ〜４ｄにそれぞれ概略的に示されている実施形態との間の相違点の観点から主に行う。
図４ａの実施形態では、発光パネル１は、第１パネルシート１１に一体化される代わりに、第１パネルシート１１の外側に取り付けられた単一のＬＥＤグリッド２４を備える。
図４ｂの実施形態に係る発光パネル１は、第１及び第２パネルシート１１，１２の内側（セル状支持構造体１０に対向する側）にそれぞれ取り付けられている第１及び第２のＬＥＤグリッド１５，１６を備える。
【手続補正１３】
【補正対象書類名】明細書
【補正対象項目名】００３７
【補正方法】変更
【補正の内容】
【００３７】
図４ｃの実施形態によれば、ＬＥＤの光軸がそれぞれのチャネル壁部１３に向けて傾斜されるように、ＬＥＤグリッド１５のＬＥＤは傾斜している。
最後に、図４ｄの実施形態によれば、発光パネル１は、第１及び第２パネルシート１１，１２の間に挟まれた第１のセル状支持パネル２５及び第２のセル状支持パネル２６を備える。第１及び第２のセル状支持パネル２５，２６の間に、ＬＥＤグリッド２７が配置されている。図４ｄに概略的に示されているように、ＬＥＤグリッド２７は、第１のセル状支持パネル２５のチャネルを通じて光を放射するように配置された第１セットのＬＥＤ２８と、第２のセル状支持パネル２６のチャネルを通じて光を放射するように配置された第２セットのＬＥＤ２９とを備える。